(57)【要約】      （修正有）【課題】燃料供給装置の管路内の木質ペレットに生じる逆火現象を確実且つ効果的に阻止することを可能としたペレット燃焼装置を提供する。【解決手段】燃焼室１ａ、燃料供給部２、開閉機構部３、及び点火装置５を備えている。燃焼室１ａは内方で木質ペレットａ１を燃焼させるものであり、燃料供給部２は燃焼室の外方から内方に渡って設けられた管路８を経て燃焼室の内方に木質ペレットを押し入れるように供給するものである。また開閉機構部３は管路の内方側の端部に形成されたペレット出口８ａ１を開閉するように作動するものであり、点火装置５は燃料供給部により供給され燃焼室内の火床７上に落下された木質ペレット群に向かう加熱状態の空気流を生成させ空気流の熱で木質ペレット群に点火するものである。【選択図】図２
0003197127.tif 000002
【実用新案登録請求の範囲】
【請求項１】
内方で木質ペレットを燃焼させる燃焼室と、
該燃焼室の外方から内方に渡って設けられた管路を経て該燃焼室の内方に木質ペレットを押し入れるように供給する燃料供給部と、
前記管路の前記内方側の端部に形成されたペレット出口を開閉するように作動する開閉機構部と、
前記燃料供給部により供給され前記燃焼室内の火床上に落下された木質ペレット群に向かう加熱状態の空気流を生成させ該空気流の熱で該木質ペレット群に点火する点火装置と、
を備えたことを特徴とするペレット燃焼装置。
【請求項２】
内方で木質ペレットを燃焼させる燃焼室と、
該燃焼室の外方から内方に渡って設けられた管路を経て該燃焼室の内方に木質ペレットを押し入れるように供給する燃料供給部と、
前記管路の前記内方側の端部に形成されたペレット出口を開閉するように作動する開閉機構部と、
を備えたことを特徴とするペレット燃焼装置。
【請求項３】
前記開閉機構部が、前記燃料供給部による前記燃焼室内への木質ペレットの供給が実行されるとき前記ペレット出口を開放させ、一方、前記燃料供給部による前記燃焼室内への木質ペレットの供給が停止されたことに関連して前記ペレット出口を閉鎖させることを特徴とする請求項１又は２記載のペレット燃焼装置。
【請求項４】
前記開閉機構部が前記ペレット出口を覆う形態とされた蓋体と、前記ペレット出口に対応して装設され前記蓋体を回動自在に保持する横向き支点軸とを備えたことを特徴とする請求項１、２又は３記載のペレット燃焼装置。
【請求項５】
内方で木質ペレットを燃焼させる燃焼室と、
該燃焼室の外方から内方に渡って設けられた管路を経て該燃焼室の内方に木質ペレットを押し入れるように供給する燃料供給部と、
前記燃料供給部により供給され前記燃焼室内の火床上に落下された木質ペレット群に向かう加熱状態の空気流を生成させ該空気流の熱で該木質ペレット群に点火する点火装置と、
を備えたことを特徴とするペレット燃焼装置。
【請求項６】
前記点火装置が、前記燃料供給部により供給され前記燃焼室内の火床上に落下された前記木質ペレット群に向かう空気流を生成させる空気案内管と、これの内方を流動する空気を加熱する電気加熱器とを備えたことを特徴とする請求項１又は５記載のペレット燃焼装置。
【請求項７】
前記燃焼室内の前記空気案内管が前記燃焼室内の前記管路部分の下側で、しかも前記ペレット出口の直下位置を境界として前記燃焼室の中心位置から離れる側の領域内に設置されていることを特徴とする請求項６記載のペレット燃焼装置。
【請求項８】
前記燃焼室の外方の大気を前記燃焼室内に供給する空気供給部を備え、該空気供給部によって前記燃焼室内に供給され前記燃焼室内の燃焼炎に到達する前の空気を前記空気案内管の外周面に向け流動させ、その後、前記燃焼室の中心位置側へ向け流動させる空気案内手段を設けたことを特徴とする請求項６又は７記載のペレット燃焼装置。
【考案の詳細な説明】
【技術分野】
【０００１】  本考案は、木の皮、木屑、製材端材、木工端材、間伐材、建築廃材などの木質材料を固めてペレット化した木質ペレットを燃料とし、農業用ハウスなどの温風暖房装置や、住宅用のペレットストーブなどに使用されるペレット燃焼装置に関する。
【背景技術】
【０００２】  農業用ハウスの温風暖房装置に使用されるペレット燃焼装置としては、例えば、特許文献１に開示されたようなものが存在している。
また家庭用ストーブなどに使用されるペレット燃焼装置としては、例えば特許文献２〜４に開示されたようなものが存在している。【０００３】  これら特許文献に開示されたペレット燃焼装置は、内方で木質ペレットを燃焼させる燃焼室と、この燃焼室の外方から内方に渡って設けられた管路を経て該燃焼室の内方に木質ペレットを押し入れるように供給する燃料供給部と、この燃料供給部により供給され燃焼室内の火床上に落下された木質ペレット群にオイルバーナーの火炎に接触させることにより又は電気加熱器の加熱部を接触させることにより木質ペレット群に点火する点火装置とを備えた構造とされている。【０００４】  この種の燃焼装置は次のような欠点を有している。
すなわち、燃焼室内の火床上での木質ペレットの燃焼を終了させ燃焼装置の作動を停止させたとき、燃料供給部の管路のペレット出口近傍に存在する木質ペレットが燃焼室内の熱で発火して燃焼し、この燃焼が管路のペレット出口側から管路の上流側へ向け漸次に進行する逆火現象が生じる虞がある。これを防止するため、従来では例えば電動ファンから送り出される大気の流れを利用して燃焼室内の熱気が管路内に侵入するのを抑制するようにしている。しかし、このような手段では停電により電動ファンが停止した場合には上記逆火現象を阻止できないのであり、また燃焼室内のペレット出口は常に開放された状態であるため、管路内のペレット出口近傍に存在する木質ペレットが燃焼室内に無駄に落下することもあり得る。【０００５】  また燃焼装置の作動中、木質ペレットは管路のペレット出口から燃焼室内に供給されるが、このように供給される木質ペレットは燃焼したものから順に灰などとなって外方へ飛散され或いは火床の下方へ落下されて火床上から消失していく。しかし管路のペレット出口の直下近傍にはペレット出口から落下された木質ペレットが徐々に堆積していく傾向があり、この堆積が進行している状況下で比較的長い期間に亘って木質ペレットの燃焼が継続されることがある。この場合、クリンカーがペレット出口の直下近傍の火床上に固結状態になって蓄積され、燃焼室内の燃焼状態を悪化させると共に、上記逆火現象の火種になることも予想される。【０００６】  また点火装置は例えば管路のペレット出口の直下近傍に堆積した木質ペレット群に電気加熱器の加熱部を接触させて点火する構成とされることが多いが、このような電気加熱器の存在は木質ペレットの燃焼により生じる灰やクリンカーの飛散を妨害し、これらの堆積を助長するように作用することがある。また電気加熱器は木質ペレットの燃焼炎に近い位置に配置せざるを得ないため、木質ペレットの燃焼炎により加熱されて故障し易くなるのである。
【先行技術文献】
【特許文献】
【０００７】
【特許文献１】特開２０１２−２４２０１８号公報
【特許文献２】特開２００７−１３２５８８号公報
【特許文献３】特開２００５−１２１３３６号公報
【特許文献４】特開２００５−９７６８号公報
【考案の概要】
【考案が解決しようとする課題】
【０００８】  本考案は、上記のような実状に対処するために創案されたもので、主に、燃料供給装置の管路内の木質ペレットに生じる上記の逆火現象を確実且つ効果的に阻止することができ、しかも木質ペレットの点火が効果的に行えるペレット燃焼装置を提供することを目的とするものである。
【課題を解決するための手段】
【０００９】  上記課題を解決するため、本考案に係るペレット燃焼装置は、
内方で木質ペレットを燃焼させる燃焼室と、
該燃焼室の外方から内方に渡って設けられた管路を経て該燃焼室の内方に木質ペレットを押し入れるように供給する燃料供給部と、
前記管路の前記内方側の端部に形成されたペレット出口を開閉するように作動する開閉機構部と、
前記燃料供給部により供給され前記燃焼室内の火床上に落下された木質ペレット群に向かう加熱状態の空気流を生成させ該空気流の熱で該木質ペレット群に点火する点火装置と、
を備えた構成としている。【００１０】  本考案において、前記開閉機構部は、前記燃料供給部による前記燃焼室内への木質ペレットの供給が実行されるとき前記ペレット出口を開放させ、一方、前記燃料供給部による前記燃焼室内への木質ペレットの供給が停止されたことに関連して前記ペレット出口を閉鎖させる構成とするのがよい。【００１１】  さらに好ましくは、前記開閉機構部は、前記ペレット出口を覆う形態とされた蓋体と、前記ペレット出口に対応して装設され前記蓋体を回動自在に保持する横向き支点軸とを備えた構成とするのがよい。【００１２】  また前記点火装置は、前記燃料供給部により供給され前記燃焼室内の火床上に落下された前記木質ペレット群に向かう空気流を生成させる空気案内管と、これの内方を流動する空気を加熱する電気加熱器とを備えた構成とするのがよい。【００１３】  また前記燃焼室内の前記空気案内管は前記燃焼室内の前記管路部分の下側でしかも前記ペレット出口の直下位置を境界として前記燃焼室の中心から離れる側の領域内に設置されている構成とするのがよい。【００１４】  さらには、前記燃焼室の外方の大気を前記燃焼室内に供給する空気供給部を備え、該空気供給部によって前記燃焼室内に供給され前記燃焼室内の燃焼炎に到達する前の空気を前記空気案内管の外周面に向け流動させ、その後、前記燃焼室の中心位置側へ向け流動させる空気案内手段を設けるのがよい。
【考案の効果】
【００１５】  本考案によれば、燃料供給部による燃焼室内への木質ペレットの供給が停止された状態において、開閉機構部の作動によりペレット出口を確実に閉鎖することが可能となる。ペレット出口が閉鎖された状態では、燃焼室内の熱気や酸素がペレット出口を経て燃料供給部の管路内に流入する現象が抑制されるため、管路内の木質ペレットの燃焼が管路の上流側へ向け進行する逆火現象が阻止されるものとなり、不用意な火災発生を防止することができる。しかも開閉機構部は電力を要することなく作動する構造とすることができるため停電時などにおいても同様の効用が得られるようになる。【００１６】  また管路のペレット出口から燃焼室内に押し入れられた木質ペレットはペレット出口の直下の燃焼室内に堆積する傾向となるが、点火装置は空気流の熱により木質ペレットに点火するため、木質ペレットから離れて位置させることができる。その結果、点火装置の存在に起因した灰分やクリンカーの堆積の成長が回避されるものとなり、該堆積が上記逆火現象の火種となる現象や、開閉機構部の作動の障害となる現象を回避することができる。また点火装置が木質ペレットの燃焼炎の近くで高熱に曝されるのを回避でき、熱による点火装置の故障を減少させることができる。【００１７】  また開閉機構部の存在により、ペレット出口から押し出される木質ペレットを拡散させることなくペレット出口の直下へ向かわせる案内作用を生じさせることができる。その結果、ペレット出口から落下した木質ペレットの点火時の堆積形状を底面に対する高さの割合が大となる山高状態にすることができ、点火装置による木質ペレットへの点火が一層、良好に行えるようになる。さらには、燃料供給部の作動停止時において、管路内のペレット出口近傍に存在する木質ペレットが燃焼室内に無駄に落下するのを電力の有無とは無関係に防止することができるようになる。
【図面の簡単な説明】
【００１８】
【図１】本考案の一実施例であるペレット燃焼装置を斜め前方から見た斜視図である。
【図２】上記ペレット燃焼装置を示す断面視側面図である。
【図３】上記ペレット燃焼装置の内筒を示す斜視図である。
【図４】上記ペレット燃焼装置の前面板を前方から見た図である。
【図５】上記前面板の中央を縦断したときの一部を示す断面図である。
【図６】農業用ハウスに上記ペレット燃焼装置を設置した状態を示す説明図である。
【考案を実施するための形態】
【００１９】  以下、本考案に係るペレット燃焼装置の実施の形態について、図面を参照して説明する。
図１は本考案の一実施例であるペレット燃焼装置（以下、本例装置と称す。）を示す斜視図、図２は本例装置の断面視説明図である。
【００２０】  図１及び図２に示すように、本例装置１００は、内方を燃焼室１ａとされた燃焼室部１、燃焼室１ａ内に木質ペレットａ１を供給する燃料供給部２、この燃料供給部２に関連して形成された開閉機構部３、燃焼室１ａ内に大気を供給する空気供給部４、及び燃焼室１ａ内の木質ペレットａ１に点火する点火装置５を備えている。
【００２１】  各部について詳細に説明する。
燃焼室部１は外筒６と内筒７とを備えている。外筒６は内方領域が燃焼室１ａとされる円筒部材６ａを具備し、これの前後方向ｂ１の各端部にフランジ部材６ｂ、６ｃを固着された構造とされている。フランジ部材６ｂは円筒部材６ａの外周面上に固着されており、またフランジ部材６ｃは円筒部材６ａの後端面に固着されると共に、中心部に円形透孔ｃ１を形成されている。
【００２２】  図３は正規姿勢から前後方向線回りへ９０度姿勢変更された状態の内筒６の斜視図である。内筒７は先の円筒部材６ａよりも小径とされた円筒部材７ａを具備し、これの外周面の前端にフランジ部材７ｂを固着され、後端面にこれの内孔を覆うための端面板７ｃを固着された構造とされている。フランジ部材７ｂには火口として機能する透孔ｃ２が円筒部材７ａと同心に形成されている。本例では透孔ｃ２の直径は凡そ９０ｍｍ程度としている。そして円筒部材７ａの外周面の後端部の上下左右の各位置には位置決め用の比較的短い丸棒部材７ｄが固着されており、端面板７ｂには燃料供給部２に対応する透孔ｃ３と、点火装置５に対応する透孔ｃ４が形成されている。
【００２３】  円筒部材７ａの外周壁７ａ１の下半分範囲には多数の透孔ｃ５が規則的な配列で形成されている。本例では各透孔ｃ５は直径を４ｍｍ程度とされ、前後方向ｂ１の基本配列ピッチｄ１と、周方向の基本配列ピッチｄ２は何れも凡そ１５ｍｍ程度とされている。また外周壁７ａ１の最上部の前後方向箇所にも直径４ｍｍ程度の透孔ｃ５（図２参照）が凡そ３０ｍｍピッチで列設されている。さらに外周壁７ａ１のうち点火装置５の左右外側に位置する領域ｅ１、ｅ２にも複数の透孔ｃ６が形成されている。図３中、符号ｂ２は周方向を示す。
【００２４】  内筒７は外筒６の内方に同心状に挿設されており、これら外筒６と内筒７の相対配置はフランジ部材６ｂとフランジ部材７ｂをボルトで結合することにより固定化される。そして外筒６の円筒部材６ａの後部と、内筒７の円筒部材７ａの後部との相対配置はこれらの間に位置される４つの丸棒部材ｄ１により安定的に保持される。
【００２５】  外筒６は燃焼室１ａの囲壁であり、また内筒７は火床として機能する。また外筒６及び内筒７は空気案内手段としても重要な機能を奏する。外筒６と内筒７の間の環状領域ｅ３にはこれの後側から空気供給部４の作用により大気の昇圧された空気を供給され、このように供給された空気は円筒部材７ａの透孔ｃ５、ｃ６を通じてその内方に流動され、その後、火口ｃ２を通じて燃焼室部１の前外方へ流出される。このとき、透孔ｃ６を通じて円筒部材７ａ内に流入した空気は点火装置５に向け流動した後に燃焼室１ａの中心点ｆ１側へ向かい、透孔ｃ５を経て円筒部材７ａの内方に流入した空気に合流し、その後、火口ｃ２を通じ燃焼室部１の前外方へ流出される。
【００２６】  燃料供給部２は図２に示すように前後向き管８ａと上下向き管８ｂとを結合したＴ字形の管路８と、前後向き管８ａの後端の開口からこれの内方に挿入された搬送部材であるスクリュー軸体９と、このスクリュー軸体９を支持し回転させる駆動部１０とを備えている。上下向き管８ｂよりも前側範囲となる前後向き管８ｂの外周面には結合フランジ１１が固着されており、この結合フランジ１１は前後向き管８ａの前部が前面板１２ａの透孔ｃ７に挿通されることにより前面板１２ａの前面に接合された状態となる。図４は前面板１２ａを前側から見た図である。前面板１２ａと前後向き管８ａは前面板１２ａのボルト孔１２ａ１及び結合フランジ１１のボルト孔の双方に挿通されたボルトにより一体状に結合されるのであり、これにより管路８は燃焼室部１と一体状に結合された状態となる。
【００２７】  前後向き管８ａは内筒７の第１透孔ｃ３を通じ前部が燃焼室１ａの中心位置ｆ１へ向かうように挿入されており、本例では燃焼室１ａ内における長さを凡そ５０ｍｍ程度とされ、内筒７内における長さを凡そ３０ｍｍ程度とされている。この前後向き管８ａの前端開口８ａ１がペレット出口とされている。前後向き管８ａの後側にはスクリュー軸体９を挿通される透孔ｃ８を有する後面板１２ｂが配置されており、この後面板１２ｂと前面板１２ａとは前後向き管８ａの上下側に配置された上面板１２ｃ及び下面板１２ｄと、前後向き管８ａの左右側に配置された一対の側面板１２ｅ、１２ｆと、これらに固着されたフランジ部材１２ｇとにより一体状に結合されている。
【００２８】  後面板１２ｂの後側には駆動部１０が配置され後面板１２ｂに同体状に固定されている。駆動部１０は変速制御可能な電動モータ１０ａと、これの回転を減速しスクリュー軸体９に伝達する減速装置１０ｂとを備えており、減速装置１０ｂはスクリュー軸体９の後端部を回転自在に保持する軸保持部１０ｂ１、１０ｂ２を備えた構成とされている。
そして上面板１２ｃにおける上下向き管８ｂの真上位置には上面板１２ｃを貫くように配置された結合管１３が固着されている。この結合管１３は下端開口に上下向き管８ｂの上端部を結合され、一方、上端開口に木質ペレットａ１を落下させる折れ曲がり状の燃料落下管１４を結合されている。
【００２９】  燃料落下管１４を通じ上方から落下する木質ペレットａ１は上下向き管８ｂ内に供給され蓄積される。上下向き管８ｂ内に蓄積された木質ペレットａ１は、駆動部１０に駆動されて回転するスクリュー軸体９のスクリュー部９ａとの相互作用により前方ｂ０１へ向かう押力を付与され、前後向き管８ａのペレット出口８ａ１へ向け移動され、前後向き管８ａ内からペレット出口８ａ１を通じて内筒７内に押し入れられ落下される。
【００３０】  開閉機構部３はペレット出口８ａ１を開閉するためのもので、図１及び図２に示すように、ペレット出口８ａ１を前側から覆う形態とされた蓋体３ａと、この蓋体３ａをペレット出口８ａ１の開閉可能にように保持する横向き支点軸３ｂ、３ｂを備えている。蓋体３ａはペレット出口８ａ１を前側から覆うことのできる円板１５と、この円板１５の前面から前方ｂ０１へ突出された案内棒１６と、この案内棒１６に前後方向ｂ１の位置変更可能に装着される重り１７とを備えている。
【００３１】  横向き支点軸３ｂは前後向き管８ａの外周面の前端上部に固着された左右一対の支持片１８ａ、１８ｂにより左右方向ｂ２に沿って保持されており、一方、円板１５の前面上部の左右箇所には一対の鈎状係着片１９ａ、１９ｂが固着されていて、それぞれの先部を横向き支点軸３ｂに回動自在に係着されている。
【００３２】  このような開閉機構部３において蓋体３ａは自重作用により横向き支点軸３ｂ回りの矢印方向ｇ１へ向かう揺動力を付与されるため、外力の付与されない自由状態ではペレット出口８ａ１を閉鎖した状態で安定する。蓋体３ａの矢印方向ｇ１の揺動力が不足してペレット出口８ａ１が十分に閉鎖されないときは蓋体３ａ上の重り１７の位置を前方ｂ０１へ変更して矢印方向ｇ１へ向かう揺動力を増大させるのであり、これによりペレット出口８ａ１は的確に閉鎖されるようになる。逆に蓋体３ａの矢印方向ｇ１の揺動力が過大となって前後向き管８ａ内の木質ペレットａ１がその移動力で蓋体３ａを矢印方向ｇ１の逆へ円滑に変位させることができずペレット出口８ａ１内から内筒７内へ円滑に供給されないときには、蓋体３ａの重り１７の位置を後方へ変更する。これにより矢印方向ｇ１の揺動力が減少されペレット出口８ａ１から燃焼室１ａ内への木質ペレットａ１の押し出しが少ない電力消費で円滑に行われるようになる。
【００３３】  ペレット出口８ａ１を閉鎖した状態の蓋体３ａは燃焼室１ａ内で木質ペレットａ１が燃焼したときの熱気がペレット出口８ａ１を通じて管路８内に侵入するのを抑制する。これにより、管路８内の木質ペレットａ１が意図しない燃焼を発生し、この燃焼が管路８内の上流側へ進行していく逆火現象が防止され、意図しない管路周辺の焼損が防止される。またペレット出口８ａ１を閉鎖した状態の蓋体３ａは本例装置１００の使用時或いは不使用時における管路８内の木質ペレットａ１が無駄に燃焼室１ａ内に落下するのを防止する。このような蓋体３ａの作用は開閉機構３の作動に電気を必要としないため、本例装置１００の電源スイッチのオフ状態時や停電時であっても支障なく得られる。
【００３４】  また蓋体３ａを形成した円板１５は前後向き管８ａ内を押し移動される木質ペレットａ１に後面を押されて下部が前方ｂ０１へ変位した傾斜姿勢となり、燃料供給部２による木質ペレットａ１の移動流量に応じた開度で開放されたペレット出口８ａ１から木質ペレットａ１が落下する。傾斜姿勢となった円板１５の後面は、ペレット出口８ａ１から落下しようとする木質ペレットａ１に対しその移動方向を下向きへ変化させる案内面として作用し、この作用により木質ペレットａ１はペレット出口８ａ１の直下へ向かうように落下され、内筒７の内周面上の比較的狭い範囲に比較的高い山状に堆積されるようになる。
【００３５】  空気供給部４は大気を吸引し送り出す給気ファン２０と、この給気ファン２０から大気を供給される空気室１２を備えている。空気室１２は前面板１２ａ、後面板１２ｂ、上面板１２ｃ、下面板１２ｄ、左右の側面板１２ｅ、１２ｆ及びフランジ部材１２ｇで覆われた領域からなっており、給気ファン２０は下面板１２ｄに形成された図示しない透孔を通じて空気室１２内に大気を供給するものである。空気室１２内の大気を燃焼室１ａに供給するための主要な空気路ｃ９は図４に示すように前面板１２ａの透孔ｃ７と同心の円周ｃ０１上に形成された４つの円弧状透孔ｃ０９からなっている。空気室１２内の大気がこの４つの円弧状透孔ｃ０９から流出することにより、外筒６と内筒７の間の環状領域ｅ３内に十分な量の大気が全周囲に渡って均等に供給される。
【００３６】  点火装置５は図２に示すように、空気案内管２１とこれの内方に配設される棒状の電気加熱器２２とを備えている。図５は前面板１２ａの中央を縦断した部分断面図である。空気案内管２１は燃焼室１ａ内の火床として機能する内筒７の内周面上に落下した木質ペレットａ１群に向かう空気流を生成させるものである。本例の空気案内管２１は内径が凡そ１５ｍｍ程度で長さが凡そ１００ｍｍ程度とされた直状の管部材２１ａを備え、後端部の管壁の対向した左右箇所に細長い透孔ｃ１０を形成されると共に、透孔ｃ１０よりも後側に細径の管部材２１ｂを延長状に固着された構造とされている。この空気案内管２１は前面板１２ａの透孔ｃ０４に挿通されて前面板１２ａに固着されており、前部が燃焼室１ａ内へ凡そ５０ｍｍ程度張り出され、透孔ｃ１０を含む後部が空気室１２内に配置されている。
【００３７】  そして図２などに示すように、燃焼室１ａ内における空気案内管２１は管路８の下側でしかもペレット出口８ａ１の直下位置を境界として燃焼室１ａの中心位置ｆ１から離れる側の領域内に配置されている。このようにするとペレット出口８ａ１から落下した木質ペレットａ１が空気案内管２１に接触し難くなることから、木質ペレット１ａの燃焼により生成される灰やクリンカー成分の滞留が防止されて効率的な燃焼が得られると共に、木質ペレット１ａの燃焼炎による空気案内管２１の加熱が抑制される。
【００３８】  電気加熱器２２は空気案内管２１の内方に同心配置となるように設けるのであり、本例では電気加熱器２２の後端部が空気案内管２１の管部材２１ａに内挿されボルト２３で締結されることにより空気案内管２１と一体化されている。電気加熱器２２の加熱部２２ａは空気案内管２１の前端から数十ｍｍ程度後側に位置させるのがよいのであり、これにより加熱部２２ａに他物（木質ペレット、灰、及びクリンカー成分など）が接触し付着するのを防止することができる。電気加熱器２２の電力供給線２２ｂは空気室１２側からその外方へ導かれて電源に接続される。
【００３９】  この点火装置５により木質ペレットａ１に点火する時、まず電気加熱器２２に通電されてその加熱部２２ａが加熱され、その後に給気ファン２０が給気能力を制限された状態で作動される。これにより給気ファン２０は空気室１２内に大気を送り、空気室１２内の空気圧を上昇させる。これにより燃焼室１ａは空気路ｃ９を通じて内方に燃焼用の空気を供給される。また空気案内管２２は空気室１２内の空気を後部の透孔ｃ１０から流入され、この空気を前方へ案内し、電気加熱器２１の外周囲を経て前外方へ流出させる。これにより空気案内管２２内を流動する空気は木質ペレットａ１の発火点以上の温度に加熱された状態となり、これに先行する燃料供給部２の作動により燃焼室１２の内筒７内に既に堆積されている木質ペレットａ１に接触しこれを発火させ燃焼させる。電気加熱器２１は確実な燃焼が得られるように実験で定めた時間だけ通電を継続された後に停止されるのであり、この後は、給気ファン２０が給気能力を増大されて通常運転状態となる。
【００４０】  次に木質ペレットが点火されて燃焼を開始した後の通常運転状態における空気の流れなどについて説明する。
燃焼室１ａ内における木質ペレットａ１の燃焼に必要な空気は給気ファン２０が必要な給気能力で運転されることにより空気室１２内から４つの円弧状透孔ｃ０９を通じて環状領域ｅ３内に適当流量で供給される。一方、空気案内管２１内には空気室１２内の空気が点火時よりも大きな流量で流入するため、空気案内管２１内に生じる空気流動は点火時よりも強くなって電気加熱器２１を効果的に冷却すると共に点火時よりも強い勢いで空気案内管２１の前端開口から前方へ流出する。この流出は空気案内管２１の前方ｂ０１近くに存在する微細な木質ペレットａ１、灰、クリンカー成分などを前方ｂ０１へ飛散させるのであり、これにより、木質ペレットａ１、灰、クリンカー成分などが開閉機構部３の作動を妨げるような弊害は回避される。
【００４１】  また空気室１２から燃焼室１ａ内に流入する空気は４つの円弧状透孔ｃ０９を通じることにより環状領域ｅ３の全周囲に渡って均等化される。こうして流入した環状領域ｅ３内の空気は透孔ｃ５及び透孔ｃ６を通過して内筒７内に流入する。透孔ｃ５から内筒７内に流入した空気は内筒７内の木質燃料ａ１へ向けその半径方向へ流動し、その後、前方ｂ０１の火口ｃ１へ向け流動するのであり、木質燃料ａ１が内筒７内で燃焼して生成される燃焼炎はこの空気の流動により火口ｃ１を通じて前方ｂ０１へ噴射される状態となる。
【００４２】  一方、透孔ｃ６から内筒７内に流入した空気はその半径方向へ流動して空気案内管２１の外周面に向かい、その後、前方ｂ０１の火口ｃ１へ向け流動する。これにより空気案内管２１は内筒７内の木質燃料ａ１が燃焼することにより生成される熱気に曝され難くなる。
【００４３】  次に上記した本例装置１００を農業用ハウスの暖房に使用する場合について図６などを参照して説明する。図６は農業用ハウスｈ１に本例装置１００を設置した状態を示す説明図である。
【００４４】  まず図２に示すように、燃料貯蔵搬送装置１０１及び温風発生装置１０２などからなる関連装置を形成する。燃料貯蔵搬送装置１０１はホッパー状のタンク２４ａ内に収容され貯蔵されている木質ペレットａ１を、スクリューコンベア２４ｂ１などの搬送路２４ｂを経て本例装置１００の燃料落下管１４内に供給するものである。
【００４５】  温風発生装置１０２は箱形の囲壁１０２ａで包囲された通風用の空間ｉ１を形成され、この空間ｉ１内に二次燃焼室２５及び熱交換部２６を形成されている。二次燃焼室２５は内方の下部にロストル２５ａを設けられ、側面壁２５ｂの高さ中央寄り位置に本例装置１００の火口ｃ２より大きい径の透孔ｃ１１を形成されており、また給気ファン２０などから送られる大気を二次空気として内方に供給されるようになっている。熱交換部２６は下端開口を二次燃焼室２５内に連通された複数の伝熱用排気管２７と、これら伝熱用排気管２７の上端開口を内方に連通された排気集合室２８と、排気集合室２８内の排気を外方へ流出させる排気流出管２９とを有している。そして囲壁１０２ａの側面下部に送風ファン３０が設けられ、囲壁１０２ａの上面に温風吹き出し口３１が設けられ、囲壁１０２ａの側面で透孔ｃ１１に対応する位置には本例装置１００の燃焼室部１を挿通させるための透孔ｃ１２が形成されている。排気流出管２９には図示しないサイクロン集塵装置３２ａなどの煤塵除去手段を具備した排気路３２が接続されており、この排気路３２の先部は農業用ハウスｈ１の外方に導かれている。
【００４６】  本例装置１００は囲壁１０２ａの透孔ｃ１２に内挿された燃焼室部１の前端のフランジ部材７ｂを二次燃焼室２５の側面壁の外面に当接させ、火口ｃ２を透孔ｃ１１に連通させた状態として、外筒７のフランジ部材６ｂと共にボルトにより二次燃焼室２５の側面壁２５ｂに固定されている。この状態において透孔ｃ１２と燃焼室部１との間に形成される隙間は気密状熊に閉鎖される。
【００４７】  本例装置１００及び関連装置を制御するための制御装置３３は本例装置１００の近傍などに設置するのであり、また農業用ハウスｈ１内の大気温度を検出するための温度センサは農業用ハウスｈ１内の中央位置などに設置する。
【００４８】  このような設備の下で、農業用ハウスｈ１内を本例装置１００で暖房するときの各部の作動などについて説明する。
作業者が制御装置３３の始動スイッチを入り操作すると、燃料貯蔵搬送装置１０１及び駆動部１０が作動状態となり、燃料供給部２が木質ペレットａ１を燃焼室１ａ内に向け押し移動させる。この押し移動により開閉機構部３の蓋体３ａが押し開かれ、管路８内の木質ペレットａ１が燃焼室１ａ内に供給される。点火に必要な一定量の木質ペレットａ１を内筒７内に供給するために必要な予め定めた時間が経過したとき、駆動部１０が一時停止され、この木質ペレットａ１の供給は停止される。
【００４９】  この燃料供給部２の作動の一方では、点火装置５及び空気供給部４が作動して内筒７内に供給された木質ペレットａ１群に点火し、それを燃焼させる。この後、本例装置１００は通常運転状態となる。
【００５０】  通常運転状態では、制御装置３３は燃料供給部２の駆動部１０を連続運転状態に保持し、農業用ハウスｈ１内の気温を検出する温度センサの検出信号に関連して燃料供給部２を制御する。この制御は農業用ハウスｈ１内の温度が制御装置３３で設定された設定値より低いとき燃料供給部２による燃料供給速度を増大させ、逆に農業用ハウスｈ１内の温度が設定値より高いとき燃料供給部２による燃料供給速度を減少させるように実行される。
【００５１】  燃焼室１ａ内で生成される燃焼ガスや、燃焼室１ａ内で発生した灰及びクリンカー成分は火口ｃ２を通じて二次燃焼室２５内に噴出される。二次燃焼室２５内では、燃焼ガスは、その未燃分が二次空気の供給により完全燃焼されながら伝熱排気管２７内に移行するのであり、また灰やクリンカー成分は落下してロストル２５ａの下側に堆積される。ロストル２５ａの下側に堆積した灰などは図示しない開閉口を通じ適時に取り出される。そして伝熱排気管２７内を上方へ通り抜けた熱気は排気集合室２８、排気流出管２９及び排気路３２を経て農業用ハウスｈ１の外方へ放出される。
【００５２】  一方では、送気ファン３０が作動され囲壁１０２ａ内に大気を流入させる。囲壁１０２ａ内に流入した大気は二次燃焼室２５、伝熱排気管２７及び排気集合室２８などの外面に接する状態で流動し、この流動中に木質ペレットａ１の燃焼熱を伝達され温度上昇され吹き出し口３１を通じ農業用ハウスｈ１内に流出される。
【００５３】  農業用ハウスｈ１内の暖房を終了させるときは作業者が制御装置３３の停止スイッチを操作する。これにより制御部３３は燃料供給部２の駆動部１０の作動を停止させるのであり、これに関連して開閉機構部５の蓋体３ａがペレット出口８ａ１を閉鎖する。また制御部３３は燃焼室１ａ内の木質ペレットａ１が燃え尽きるために必要な予め定めた一定時間が経過した後に給気ファン２０を停止させる。
【００５４】  なお、本例装置１００は上述した使用例に限らず、種々の器機の燃焼装置として使用できるものであり、この場合、必要に応じ外筒６や内筒７は適宜に変更する。
【符号の説明】
【００５５】１ａ  燃焼室
２  燃料供給部
３  開閉機構部
３ａ  蓋体
３ｂ  横向き支点軸
４  空気供給手段
５  点火装置
６  外筒（空気案内手段）
７  内筒（火床、空気案内手段）
８  管路
８ａ１  ペレット出口
２１  空気案内管
２２  電気加熱器
ａ１  木質ペレット
ｆ１  燃焼室１ａの中心位置
【図１】
0003197127.tif 000003
【図２】
0003197127.tif 000004
【図３】
0003197127.tif 000005
【図４】
0003197127.tif 000006
【図５】
0003197127.tif 000007
【図６】
0003197127.tif 000008